(57)【要約】      （修正有）【課題】必要なサイズに容易に拡大や変形ができる猫砂散乱防止シートを提供する。【解決手段】シートを薄肉の塩ビシート、ポリオレフィン系樹脂シート、プラスチックシートとし、シート上にテーパーコーン状もしくは多角錘状の突起を成型し、その表面に液状ゴムなど粘着性のある材料を塗布したり、もしくは粘着性薄肉高分子シートをラミネートし、シート面積が２０平方ｃｍ以上で４００平方ｃｍ未満の概ね正方形もしくは長方形である。【選択図】図１
0003174299.tif 000002
【実用新案登録請求の範囲】
【請求項１】
ペット用トイレ、主に猫砂トイレの出入り口の外側の床面に設置した
猫砂散乱防止シートの面上にテーパーコーン状もしくは多角錘状の
円柱突起を密に配置したことを特徴とする前記シートにおいてシート
の材質を薄肉の塩ビシート、ポリオレフィン系樹脂シート、プラスチック
シートを用いて上記の突起を成型し、その表面に液状ゴムなど粘着性
のある材料を塗布したり、もしくは粘着性薄肉高分子シートをラミネート
したことを特徴とするシート面積が２０平方ｃｍ以上で４００平方ｃｍ未満の
概ね正方形もしくは長方形であることを特徴とする猫砂散乱防止シート
【請求項２】
請求項１に記載のテーパーコーン状の突起が0.2ｍｍ以上、１ｍｍ以下の
薄肉のプラスチックシートで成型されており、各々のシート面上の突起が
一定のピッチで配置されており、各シートを相互に重ね合わせることが
できるとともに端面同士を重ね合わせることで任意のサイズの猫砂散乱
防止シートを形成できる構造。
【請求項３】
請求項２記載のシートの端面同士を接続する際にオス型ピンの数を少なく
することで端面同士の重ね合わせを容易にする構造。
【請求項４】
請求項３記載のシートのコーナー部の複数のオス型ピンを予め取り除いて
おくことで各シート端面同士を重ね合わせた際にピンの重なりを減少される
ことのできる構造。
【考案の詳細な説明】
【技術分野】
【０００１】
本発明は、猫等のペットの足裏に付いたトイレ用砂粒などの付着物を効率的に除去することに適したプラスチックシートの構造に関する。
【背景技術】
【０００２】
本発明は実用新案登録第３１７０５０４号（出願番号実願２０１１−００２６７１）の継続出願であり、先発明で記載されている猫砂散乱
防止シートの構造に関するものである。
都市部では猫を屋内で飼う事が一般的であり、猫用のトイレ砂として市販されているものは大部分が砂粒状のものでベントナイト系、シリカゲル系、生分解性物質系、木質系など多種出ているが、価格面で安価なベントナイト系の砂が一般的である。  猫は大小便を専用トイレの中でする際には必ず砂かけ動作をして自身の糞尿を砂の中に隠す習性があるため、多量の砂粒（大粒子から微細粒子）が猫の肉球や爪の間や肉球の表面に付着する。この付着した砂粒は通常屋内床面に持ち出すことになり衛生面、環境面で問題である。通常、毎日飛び散った砂粒を掃除機で吸引したり、箒で掃いたりする必要がある。  またこのような環境下ではトレイ式の猫砂トイレから屋根の付いたボックス式のトイレが主流になりつつあり、屋内での砂粒や粉塵による汚染を防ごうとする流れになっている。
【先行技術文献】
【特許文献】
【０００３】
【特許文献１】従来この飛び散り砂を減らすために色々な発明が行われてきた。ひとつはトイレの中にスノコを敷いておき、スノコの上を歩くことで砂粒を除去する方式である。特開２００９−１３６２７３、１３６２７４はこの方式の具体例である。
【特許文献２】実用新案登録番号３０４０６１５、特開２０００−３２８６０、特開２０００−２０９９７６、特開平１０−３１５３６５、特開２００９−２０１３５８などは国内出願の例であり、同様に米国特許にはUS６３５７３８８B1、US６３８６１４３B1など多数が出願されている。
【特許文献３】その他では誘導斜面板方式、  迷路方式、  駆動コンベアベルト方式など多種多様な方式が存在してきたが、付着した猫砂の除去効率が高く、比較的安価、コンパクトな方式で、且つ、大粒の砂から微細粒子まで除去できる方式が従来には存在しなかった。
【考案の概要】
【考案が解決しようとする課題】
【０００４】
特開２００９−１３６２７３、１３６２７４はスノコ方式の一例である。この方式の課題としては肉球の間の大粒砂については除去しやすいが肉球表面に付着した微細粒子はスノコでは取れにくいためにトイレを設置した屋内床に持ち出される。  またスノコがトイレの中に内蔵されている為、トイレ全体のサイズが大きくなり、又その為にトイレ価格も高価になる。  屋内に設置した場合には設置場所が大きくなるために、威圧感がありすぎることも問題であった。
【０００５】
実用新案登録番号３０４０６１５、US６３８６１４３B1などは帯状突起物を用いて砂粒を除去する方式の一例である。US６３５７３８８B1、特開２００９−２０１３５８、特開２０００−３２８６０などは凸凹のあるマットや凸凹のある不織布シートを用いて砂粒を除去する一例である。特開平１０−３１５３６５、特開２０００−２０９９７６などは剥離可能な不織布や粘着材を塗布した不織布材を利用する方式である。
【０００６】
その他では誘導斜面板方式、  迷路方式、  駆動コンベアベルト式など多種多様な方式が存在してきたがそれぞれに問題があり、付着した猫砂の除去効率が高く、比較的安価、コンパクトな方式で、且つ、大粒の砂から微細粒子まで除去できる方式が従来には存在しなかった。
【０００７】
以上の課題を解決すべく発明されたのが実用新案登録第３１７０５０４号（出願番号実願２０１１−００２６７１）である。
この登録実用新案に記載されている猫砂散乱防止シートの特色はテーパーコーン形状もしくは多角錘形状の弾力性のある
突起物を一定のピッチで密着配置した弾力性シートを猫砂トレイボックスの出入り口部分に設置し、猫の脚の肉球間に
付着した大粒の砂を弾力性のある前記突起物により除去し、突起物の間に砂粒が捕捉されるものである。
【０００８】
この方式の課題は猫砂シートの大きさ、面積、形状が固定されてしまうことである。
すなわち各家庭の猫砂トレイの配置はまちまちであり廊下の隅、台所、風呂場や便所の付近、居間の片隅などは
通常置かれる場所であるが、猫砂シートの大きさが固定されていると狭い場所、入り組んだ場所では使い難い
場合が多いことが判明した。
【課題を解決するための手段】
【０００９】
この問題を解決するためにテーパーコーン状突起が配された弾力性シートのサイズを
従来のサイズより大幅に小さくしたものを製作し、これをセルシートと呼ぶ。
複数のセルシートを互いに連結することで各家庭で必要とされるサイズに容易に拡大
したり、変形できる構造を考案した。
【考案の効果】
【００１０】
薄肉のプラスチックシート（塩ビ系、ポリオレフィン系、PETなどポリエステル系のシート）を真空成型で
形成するため材料費が大幅に安価となる。  またシート形成後に液状ゴムを表面に塗布することも
可能であるが、柔軟性、粘着性の薄肉シートを前記プラスチックシートにラミネートしておき、一度に
真空成型で形成すればさらに大幅な加工工数低減も可能となる。
【００１１】
薄肉のプラスチックシートを使用しているためにテーパーコーン状の突起の裏側は空洞となっており
重ね合わせることでセルシート同士を連結させることが容易である。
【図面の簡単な説明】
【００１２】
【図１】セルシートの平面図と側面図、拡大図
【図２】セルシート同士の接続例（１）
【図３】セルシート同士の接続例（２）
【考案を実施するための形態】
【００１３】
図１に本考案で使用する突起付弾力性シートの具体例を示す。
一辺は約１２ｃｍほどの正方形のシート１１であり表面には高さ５ｍｍから８ｍｍ程度のテーパーコーン状の
突起１２がピッチ５ｍｍから６ｍｍ程度で密に配置されている。  材質はPET（ポリエチレンテレフタレート）
やPP（ポリプロピレン）PE（ポリエチレン）PVC（塩化ビニル）などの０．３から１ｍｍまでのプラスチック
を用いて真空成型法により成型する。  この基本となるシートをセルシートと呼ぶ。
このセルシート同士はテーパーコーン状の突起部分を嵌め合わせることで縦方向、横方向に拡大する
ことが可能である。  
【実施例】
【００１４】
図１に本考案で使用する弾力性シートの一例を示す。
一辺は１２ｃｍほどの正方形のシート１１であり表面には高さ５ｍｍから８ｍｍ程度のテーパーコーン状の
突起１２がピッチ５ｍｍから６ｍｍ程度で密に配置されている。  材質はPET（ポリエチレンテレフタレート）
やPP（ポリプロピレン）PE（ポリエチレン）PVC（塩化ビニル）などの０．３から１ｍｍまでのプラスチック
シートを用いて真空成型法により成型する。  この基本となるシートをセルシートと呼ぶ。
図２にはセルシート４枚の連結方法を示す。
各テーパーコーン状突起の裏面は空洞であるため各セルシート同士の端面を重ねることが
容易にできる。  また材料が薄肉のプラスチックシートであるため邪魔な部分があれば容易に
ハサミでも切断除去できる。
この図２の場合のセルシートでは各セルシートの右上端角以外のコーナー部２１は切除されている。
これは４枚のセルシートを正方形状になるように接続した場合に4枚のセルシートが重複することで
中央部高くなりすぎることを防ぐためである。
【００１５】
図３にはセルシートを１２枚連結した後の形状を示す。
セルシートは４辺の内２辺が連結可能な形状となっているので図３に示すようにL字型に形成することが容易にできる。
またユーザー側のレイアウトを満足させるために横方向や縦方向にだけ連結していくことも可能である。
また材質が薄肉のプラスチックシートであるためハサミで簡単に切断できるため、連結後に不要な場所を切断除去
することもできる。
【産業上の利用可能性】
【００１６】
セルシートと呼ぶ突起付弾力性シートは各家庭内の猫砂トレイのサイズ、レイアウト、
トイレとして使用可能な空間に合わせて容易に形を決めることができる。
すでに市販されている同様な機能のシートはサイズが固定されているために最適な
レイアウトにすることが困難であるが、本考案のセルシート方式は最低４枚から１０枚
以上のセルシートを正方形、長方形、L字型などに組立てることが容易にできる。
使用する材料重量、価格面でも大幅な削減が可能であり環境負荷も減らすことが
できる。
本発明は実用新案登録第３１７０５０４号（出願番号実願２０１１−００２６７１）の継続出願
であり、先発明で記載されている猫砂散乱防止シートの形状に関するものである。
このセルシートの構造は先発明の１枚であった突起付弾力性シートの代わりになる
ものであるが、セルシートを複数枚組み合わせることで多種、多様な形状にできることが
特徴である。
【符号の説明】
【００１７】
図１：  １１  単体のセルシート形状例
１２  テーパーコーン状の突起
図２：  ２１  各セルシートコーナー部の切除部
【図１】
0003174299.tif 000003
【図２】
0003174299.tif 000004
【図３】
0003174299.tif 000005
【手続補正書】
【提出日】平成24年1月6日(2012.1.6)
【手続補正１】
【補正対象書類名】実用新案登録請求の範囲
【補正対象項目名】全文
【補正方法】変更
【補正の内容】
【実用新案登録請求の範囲】
【請求項１】
ペット用トイレ、主に猫砂トイレの出入り口の外側の床面に設置した
猫砂散乱防止シートの面上にテーパーコーン状もしくは多角錘状の
円柱突起を密に配置したことを特徴とする前記シートにおいてシート
シートを薄肉の塩ビシート、ポリオレフィン系樹脂シート、プラス
チックシートとし、前記シート上に上記の突起を成型し、その表面に
液状ゴムなど粘着性のある材料を塗布したり、もしくは粘着性薄肉
高分子シートをラミネートしたことを特徴とするシート面積が２０
平方ｃｍ以上で４００平方ｃｍ未満の概ね正方形もしくは長方形である
ことを特徴とする猫砂散乱防止シート
【請求項２】
請求項１に記載のテーパーコーン状の突起が0.2ｍｍ以上、１ｍｍ以下の
薄肉のプラスチックシートで成型されており、各々のシート面上の突起 
が一定のピッチで配置されており、各シートを相互に重ね合わせること
ができるとともに端面同士を重ね合わせることで任意のサイズの猫砂
散乱防止シートを形成できることを特徴とする請求項１に記載の猫砂
散乱防止シート。
【請求項３】
請求項２記載のシートの端面同士を接続する際にオス型ピンの数を少な
くすることで端面同士の重ね合わせを容易にできることを特徴とする
請求項１記載の猫砂散乱防止シート。
【請求項４】
請求項３記載のシートのコーナー部の複数のオス型ピンを予め取り除い
ておくことで各シート端面同士を重ね合わせた際にピンの重なりを減少
させることを特徴とする請求項１記載の猫砂散乱防止シート。